(57)【特許請求の範囲】
【請求項１】
各種オーディオ機器、ナビゲーションユニット、その他の車載電子機器をグループ化し、キー操作あるいは音声操作により、各グループの機器を制御すると共に、操作指示に応じた画像を表示部に表示する車載機器の集中管理システムにおいて、
グループ毎に設けられ、操作指示に基づいて所定の画像を表示部に表示すると共に各機器が操作指示通りに動作するよう制御し、かつ、自グループの画面遷移履歴を記憶するグループ管理部、
キー操作あるいは音声操作に基づいて所定のグループ管理部に操作指示すると共に、操作指示がいずれのグループに対する指示であるか、及び該操作指示によりグループ管理部が画面切り替えを行ったか否かをグループ履歴情報として管理をする操作管理部を備え、
操作指示をキャンセルする戻り指示がなされた時、操作管理部はキャンセルされた操作指示により画面切り替えを行ったかを前記グループ履歴情報を参照して調べ、画面切り替えを行っている場合には、該グループ履歴情報を参照して該画面切り替え前に最新に画面を切り替えた操作指示を実行したグループ管理部を求め、該グループ管理部に画面を表示するよう指示し、該グループ管理部は前記画面遷移履歴を参照し、キャンセルされた操作指示実行前に該グループ管理部が表示していた画面を表示部に表示することを特徴とする車載機器の集中管理システム。
【請求項２】
前記各グループ管理部は、操作指示される前の各機器の状態を記憶し、操作指示をキャンセルする前記戻り指示がなされた時、前記操作管理部は前記グループ履歴情報を参照して前記戻り指示前の操作指示がいずれのグループ管理部に対する指示であるかを識別し、該グループ管理部に前の状態に戻るよう指示し、戻り指示されたグループ管理部は、機器の状態を該キャンセルされた操作指示実行前の状態に戻すことを特徴とする請求項１記載の車載機器の集中管理システム。
【発明の詳細な説明】
【０００１】
【発明の属する技術分野】
本発明は車載機器の集中管理システムに係わり、特に、各種オーディオ機器、ナビゲーションユニット、その他の車載電子機器をグループ化し、キー操作指示あるいは音声操作指示により、各グループの機器状態を制御すると共に、操作指示に応じた画像を表示部に表示する車載機器の集中管理システムに関する。
【０００２】
【従来の技術】
機器への入力手段、操作指示手段として、従来よりキーボードやタッチパネル等がある。しかし、最近では認識率の向上に伴って音声で操作指示をすることが行われている。例えば、操作性、安全運転性の理由により、車載ナビゲーション装置では、音声で操作指示する機能が当たり前となっており、音声認識結果を操作コマンド、画面の状態遷移コマンド、施設検索コマンド等に使用している。
【０００３】
【発明が解決しようとする課題】
一般的に、周囲ノイズが大きい車両走行中に音声認識操作を使用する場合や音声発声者の声の個性が強い場合、音声認識エンジンから出力される認識結果は音声発生者が発声した操作指示と異なることがたびたび発生する。音声認識の誤認識が発生すれば、音声の発声をやり直したり、もしくは最初から音声操作をやり直す必要がある。ナビゲーション装置等の単一機能装置おいて、かかる音声の再入力は音声認識操作の戻り操作を行い、誤認識した単語を再度入力して認識し直すことにより容易に対応することができる。
しかしながら、ナビゲーションの機能が発展した統合操作車両情報装置では、すなわち、各種オーディオ機器、ナビゲーションユニット、その他の車載電子機器を集中管理するシステムでは、誤認識や誤操作に起因して行われる戻り操作は画面遷移が複雑になり容易に対応できない問題がある。
以上から本発明の目的は、車載用機器の集中管理システムにおいて戻り操作を容易に行えるようにすることである。
【０００４】
【課題を解決するための手段】
上記課題は本発明によれば、各種オーディオ機器、ナビゲーションユニット、その他の車載電子機器をグループ化し、キー操作あるいは音声操作により、各グループの機器を制御すると共に、操作指示に応じた画像を表示部に表示する車載機器の集中管理システムにおいて、グループ毎に設けられ、操作指示に基づいて所定の画像を表示部に表示すると共に各機器が操作指示通りに動作するよう制御し、かつ、自グループの画面遷移履歴を記憶するグループ管理部、キー操作あるいは音声操作に基づいて所定のグループ管理部に操作指示すると共に、操作指示がいずれのグループに対する指示であるか、及び該操作指示によりグループ管理部が画面切り替えを行ったか否かをグループ履歴情報として管理をする操作管理部を備え、操作指示をキャンセルする戻り指示がなされた時、操作管理部はキャンセルされた操作指示により画面切り替えを行ったかを前記グループ履歴情報を参照して調べ、画面切り替えを行っている場合には、該グループ履歴情報を参照して該画面切り替え前に最新に画面を切り替えた操作指示を実行したグループ管理部を求め、該グループ管理部に画面を表示するよう指示し、該グループ管理部は前記画面遷移履歴を参照し、キャンセルされた操作指示実行前に該グループ管理部が表示していた画面を表示部に表示する車載機器の集中管理システムにより達成される。
また、上記課題は本発明によれば、前記各グループ管理部は、操作指示される前の各機器の状態を記憶し、操作指示をキャンセルする前記戻り指示がなされた時、前記操作管理部は前記グループ履歴情報を参照して前記戻り指示前の操作指示がいずれのグループ管理部に対する指示であるかを識別し、該グループ管理部に前の状態に戻るよう指示し、戻り指示されたグループ管理部は、機器の状態を該キャンセルされた操作指示実行前の状態に戻す車載機器の集中管理システムにより達成される。
【０００５】
【発明の実施の形態】
（ａ）構成
図１は本発明の車載機器の集中管理システムの構成図である。図中、１は本体部、２は外部バス、３はキー操作部、４は音声操作部、５は車両情報系グループ、６はナビゲーショングループ、７はオーディオ系グループ、８は表示装置である。外部バス２は操作系外部バス２ａ、音声操作系外部バス２ｂ、車両情報系外部バス２ｃ、ナビ系外部バス２ｄ、オーディオ系外部バス２ｅ、表示系外部バス２ｆを有している。
キー操作部３は、ハードキー部３ａ、タッチパネル３ｂ、ジョイスティックキー３ｃ及び操作系外部INF(操作系外部インタフェース)３ｄで構成され、音声操作部４は、音声認識部４ａ及び音声操作系外部INF４ｂで構成されている。
【０００６】
車載機器は複数のグループに分けられ、図では、車両情報系機器グループ５、ナビグループ６、オーディオ系グループ７に分けられている。車両情報系機器グループ５は、エンジン電子制御ユニット５ａ、エアコン電子制御ユニット５ｂ、ドア電子制御ユニット、外部カメラ５ｄ、ハンズフリー電話機等その他の車両機器５ｅ、車両情報系外部INF５ｆで構成されている。ナビグループ６は１つのナビゲーション制御ユニット６ａとナビ系外部INF６ｂで構成され、オーディオ系グループ７は、ヘッドユニット(AM/FMラジオ、テープデッキなど）７ａ、CDチェンジャ７ｂ、MDチェンジャ７ｃ、その他のオーディオ機器７ｄ、オーディオ系外部INF７ｅで構成されている。表示装置８は、表示部８ａと表示系外部INF８ｂで構成されている。
【０００７】
本体部１は、操作管理部１１、音声操作管理部１２、車両情報管理部１３、表示管理部１４、描画部１５、車両情報系グループ５対応に設けられた車両情報部１６、ナビグループ６対応に設けられたナビ部１７、オーディオ系グループ７対応に設けられたオーディオ部１８、インタフェース部１９ａ〜１９ｆを有している。車両情報部１６、ナビ部１７、オーディオ部１８はそれぞれグループ管理部を構成する。又、インタフェース１９ａ〜１９ｆとして、操作系外部INF１９ａ、音声操作系外部INF１９ｂ、車両情報系外部INF１９ｃ、ナビ系外部INF１９ｄ、オーディオ系外部INF１９ｅ、表示系外部INF１９ｆがある。
【０００８】
（ｂ）概略動作
ハードキー３ａやタッチパネル３ｂ等からの操作情報は操作系外部INF１９ａで電文を分解され、該電文をメッセージに変換する。操作管理部１１は車両情報管理部１３から走行停止状態等の情報と表示管理部１４から表示されているアプリケーションや機能の画面情報を入手し、操作指示メッセージの送付先と送付の有無を判定し、該メッセージを車両情報部１６あるいはナビ部１７あるいはオーディオ部１８に送付する。表示管理部１４は、表示部８ａにどのグループに関連する操作画面が表示されているかの情報を管理すると共に該情報を操作管理部１１に入力し、操作管理部１１は、タッチパネル３ｂによるキー操作指示があったとき、表示画面と操作キーに基づいて、操作指示を識別すると共に操作指示送出先のグループ管理部（車両情報部１６、ナビ部１７、オーディオ部１８）を識別し、操作指示メッセージを該グループ管理部に送付する。
【０００９】
音声認識による操作の場合も同様に、音声認識操作情報は音声操作系外部INF１９ｂでメッセージに変換され音声認識操作管理部１２に送付される。音声が正常に認識された場合は、先のキー操作系メッセージと同様に操作管理部１１でメッセージ送付先の判定を行い適切なグループ管理部（車両情報部１６、ナビ部１７、オーディオ部１８）に音声認識操作メッセージを送付する。
一方、音声の誤認識が発生して誤った音声認識操作メッセージを送付した場合、音声認識の戻りコマンドまたはキャンセルスイッチ操作により操作を戻す動作を行う。ナビゲーションなどの単一アプリケーションの場合、アプリケーションの画面遷移で画面遷移履歴を記憶しておくことにより、戻り操作が可能であるが、複数のアプリケーションが同時に起動しかつ並行して動作している場合はそれぞれのアプリケーションがそれぞれ画面遷移を行っているため戻り操作は複雑になる。
【００１０】
（ｃ）キー操作または音声操作指示された時の処理
操作管理部１１は、キー操作あるいは音声操作による指示があれば、所定のグループ管理部（車両情報部１６、ナビ部１７、オーディオ部１８）に操作指示メッセージを送出する。又、操作管理部１１は、▲１▼操作指示メッセージがいずれのグループに対するものであるか、及び、▲２▼操作指示メッセージによりグループ管理部が画面切り替えを行ったか否を示す情報を、グループ履歴情報（図２参照）として内蔵のメモリに保存する。
各グループ管理部１６〜１８は、操作指示メッセージに基づいて所定の画像を表示部８ａに表示するよう表示管理部１４に指示すると共に、各機器が操作指示メッセージ通りに動作するよう制御し、かつ、自グループ内での画面遷移履歴及び操作指示実行前の機器状態を内蔵のメモリに保存する（図３参照）。
【００１１】
図４はキー操作指示または音声操作指示された時の処理フローである。
操作管理部１１は、キー操作部３あるいは音声操作部４よりキー操作指示あるいは音声操作指示を受信したか監視する（ステップ１０１）。操作指示を受信すれば、該操作指示を解析して操作指示メッセージの送出先グループを特定し（ステップ１０２）、該操作指示メッセージを該グループに送出し、かつ、グループ履歴情報を更新する（ステップ１０３）。
操作指示メッセージを受信したグループ管理部は、該操作指示メッセージにより画面を切り替える必要があるかチェックし（ステップ１０４）、切り替える必要があれば、表示管理部１４に所定の画像を表示するよう指示し（ステップ１０５）、画面遷移履歴を更新する（ステップ１０６）。ついで、操作指示メッセージにより機器を制御する前に、各機器の状態を保存する（ステップ１０７）。ついで、操作管理部１１に画面切り替えの有無を通知する。これにより、操作管理部１１はグループ履歴情報に画面切替の有無を含ませて保存する（ステップ１０８）。
ついで、グループ管理部は対象機器に操作指示メッセージを送って該機器を制御する（ステップ１０９）。
【００１２】
（ｄ）戻り処理
図５は戻り処理のフローである。
音声操作指示により対象機器を制御した後、該操作指示をキャンセルするキャンセルスイッチがオンし、あるいは、音声で戻り操作が指示されると（ステップ２０１）、操作管理部１１はグループ履歴情報（図２）を参照してキャンセルされた操作指示を実行したグループ管理部を求め、該グループ管理部に戻りを指示する（ステップ２０２）。この戻り指示により、グループ管理部は内蔵のメモリに保存してある直前の機器状態情報を用いて操作指示実行前の状態を回復する（ステップ２０３）。ついで、操作管理部１１は、再度グループ履歴情報を参照してキャンセルされた操作指示により画面切り替えが行われたか調べる（ステップ２０４）。画面切り替えを行っていれば、グループ履歴情報を更に参照し、それ以前に最新に画面を切り替えた操作指示を実行したグループ管理部を求める（ステップ２０５）。ついで、操作管理部１１は該グループ管理部に画面表示をするよう指示する（ステップ２０６）。画面表示指示を受信すれば、グループ管理部は画面遷移履歴を参照して最新の画面を表示するように表示管理部１４に指示する。これにより、キャンセルされた操作指示の前に表示されていた画面が表示される。
以上、本発明を実施例により説明したが、本発明は請求の範囲に記載した本発明の主旨に従い種々の変形が可能であり、本発明はこれらを排除するものではない。
【００１３】
【発明の効果】
以上本発明によれば、操作指示をキャンセルする戻り指示がなされた時、キャンセルされた操作指示により画面切り替えを行ったか調べ、行っている場合には、それより以前に画面切替をした最新の操作指示を求め、該操作指示を実行したグループ管理部に画面を表示するよう指示し、グループ管理部は画面遷移履歴を参照し、キャンセルされた操作指示が実行される前の画面を表示部に表示するようにしたから、戻り操作を容易に行うことができる。
又、本発明によれば、各グループ管理部に操作指示される直前の各機器の状態を記憶しておくことにより、戻り指示がなされた時、機器の状態を操作指示前の状態に戻すことができる。
【図面の簡単な説明】
【図１】本発明の車載用機器の集中管理システムの構成図である。
【図２】操作指示グループ履歴情報説明図である。
【図３】グループ管理部の管理情報説明図である。
【図４】キー操作指示または音声操作指示された時の処理フローである。
【図５】戻り処理フローである。
【符号の説明】
１・・本体部
２・・外部バス
３・・キー操作部
４・・音声操作部
５・・車両情報系グループ
６・・ナビグループ
７・・オーディオ系グループ
８・・表示装置
１１・・操作管理部
１２・・音声操作管理部
１４・・表示管理部
１６・・車両情報部
１７・・ナビ部
１８・・オーディオ部
【図１】
0003839623.tif 000002
【図２】
0003839623.tif 000003
【図３】
0003839623.tif 000004
【図４】
0003839623.tif 000005
【図５】
0003839623.tif 000006